(57)【特許請求の範囲】
【請求項１】
下端に脚座(2)を着脱自在に連結した少なくとも４本の脚柱(1)と、同脚柱(1)の上端同士をジョイント(4)を介して縦方向及び横方向に連結する桁材(3)とで枠組(A)を構成し、同枠組(A)の上部矩形面にシート(5)を貼設するとともに、前記脚柱(1)と桁材(3)とを、伸縮自在に構成した伸縮パイプ(P)で兼用可能とし、しかも、前記伸縮パイプ（P）は、両端近傍の周壁にピン挿通孔(10)を設けた外装管(8)と、同外装管(8)内に摺動自在に挿通され、間隔をあけて複数の位置決め用ピン挿通孔(11)を周壁に設けた内装管(9)とから構成し、さらに、前記位置決め用ピン挿通孔(11)を介して、前記外装管(8)のピン挿通孔(10)に外側方向へ付勢された連結ピン(13)を出入自在に設け、前記ピン挿通孔(10)と前記位置決め用ピン挿通孔(11)とが重合すると、前記連結ピン(13)が前記ピン挿通孔(10)に嵌入してロックするようにし、さらに、前記伸縮パイプ(P)毎にロック装置(14)を設け、同ロック装置(14)は、前記外装管(8)に外嵌した基部筒体(15)の外周にロック機構収納部(16)を形成し、同収納部(16)内にロック機構(17)を収納し、しかも、同ロック機構(17)は、前記ロック機構収納部(16)の内側壁(16a)、前記基部筒体(15)及び前記外装管(8)の周壁に設けたロックピン挿通孔(18)と前記ロック機構収納部(16)の外側壁(16b)に設けたロックピン貫通孔(19)とに摺動自在に挿入したロックピン(20)を進退動作させることを特徴とするテント構造。
【請求項２】
前記ジョイント(4)は、前記伸縮パイプ(P)と連結可能な複数の筒体を組合せて、前記伸縮パイプ(P)を縦方向、横方向、高さ方向に三次元的に連結可能に構成したことを特徴とする請求項１記載のテント構造。
【発明の詳細な説明】
【０００１】
【発明の属する技術分野】
この発明は、任意の大きさに容易に組立てることができるテント構造に関するものである。
【０００２】
【従来の技術】
従来、例えば、露店に用いられるテント、または運動会や各種イベント等において、雨や日除け用に仮設するテントがある。
【０００３】
これらは、サイズなどがテント毎に定まっており、また、テントシートとしても専用のものが必要で、さらに、支柱がパート毎に各種あり、しかも、鉄製のものが殆どである。
【０００４】
他方、住宅のエクステリア工事などにおいて、例えば、テラス部分のコンクリート打設に際し、雨天時においても工期を延長することができない場合には、図１６に示すようなテント構造を用いることがあった。
【０００５】
これは、テラス部１００  の両側前方に支柱２００，２００  を立設し、同支柱２００，２００  の上端にシート３００  の前側両角部を取付け、さらに、後側両角部に連結ロープ４００  の一端を結び、同ロープ４００  の他端を建物５００  側に取付けるといった手間のかかるシート張りを行い、テラス部１００  へ雨が当たらないようにしていた。６００  は補強ロープ、７００  は同ロープ６００  を固定するアンカーである。
【０００６】
【発明が解決しようとする課題】
ところが、上記した従来のテント構造は、支柱の種類が多く、どの支柱をどのパートに用いるのかがはっきりせず、また、各支柱が重たいために、一人で組立てることは無理であった。
【０００７】
また、サイズが決まっているので、用途に応じて使い分けるためにはサイズ毎のテントが必要である。しかし、専用のテントシートが必要なのでテント自体は高価なものである。
【０００８】
また、図１６に示すようなテント構造では、風に弱く不安定であり、工事現場においては設置できない場合がある。
【０００９】
本発明は、これらの課題を解消し、任意の大きさに容易に組立てることができるテント構造を提供することを目的としている。
【００１０】
【課題を解決するための手段】
この発明は、下端に脚座を着脱自在に連結した少なくとも４本の脚柱と、同脚柱の上端同士をジョイントを介して縦方向及び横方向に連結する桁材とで枠組を構成し、同枠組の上部矩形面にシートを貼設するとともに、前記脚柱と桁材とを、伸縮自在に構成した伸縮パイプで兼用可能とし、しかも、前記伸縮パイプは、両端近傍の周壁にピン挿通孔を設けた外装管と、同外装管内に摺動自在に挿通され、間隔をあけて複数の位置決め用ピン挿通孔を周壁に設けた内装管とから構成し、さらに、前記位置決め用ピン挿通孔を介して、前記外装管のピン挿通孔に外側方向へ付勢された連結ピンを出入自在に設け、前記ピン挿通孔と前記位置決め用ピン挿通孔とが重合すると、前記連結ピンが前記ピン挿通孔に嵌入してロックするようにし、さらに、前記伸縮パイプ毎にロック装置を設け、同ロック装置は、前記外装管に外嵌した基部筒体の外周にロック機構収納部を形成し、同収納部内にロック機構を収納し、しかも、同ロック機構は、前記ロック機構収納部の内側壁、前記基部筒体及び前記外装管の周壁に設けたロックピン挿通孔と前記ロック機構収納部の外側壁に設けたロックピン貫通孔とに摺動自在に挿入したロックピンを進退動作させることを特徴とするテント構造に係るものである。
【００１１】
また、本発明は、以下の構成にも特徴を有する。
【００１２】
前記ジョイントは、前記伸縮パイプと連結可能な複数の筒体を組合せて、前記伸縮パイプを縦方向、横方向、高さ方向に三次元的に連結可能に構成した。
【００１６】
【発明の実施の形態】
以下、本発明の実施の形態を図面に基づき説明する。
【００１７】
図１に本発明に係るテント構造の基本構造からなるテントＴを示しており、同テントＴは、下端に脚座２を着脱自在に連結した少なくとも４本の脚柱１と、同脚柱１の上端同士をジョイント４を介して連結する桁材３とで一つのユニットとなる枠組Ａを構成し、各桁材３が囲繞することにより、枠組Ａの上部に形成される矩形面にシート５を貼設して構成している。なお、１ａは前側脚柱、１ｂは後側脚柱、３ａは縦側桁材、３ｂは横側桁材を示す。
【００１８】
シート５は、その周縁部に適宜設けた鳩目７にシート貼設用のひも６を通し、同ひも６を桁材３に結びつけて貼設するようにしている。なお、シート５は、所謂ブルーシートと呼ばれる市販のシートを使用することができるので、シート５が破損したりしても、その補修や交換などのメンテナンスが容易である。
【００１９】
上記脚柱１及び桁材３は、図２に示すように、伸縮自在に構成した伸縮パイプＰで兼用可能としている。
【００２０】
したがって、脚柱用と桁材用とで別部品を用意する必要がなく、また、脚柱１及び桁材３においても、前側脚柱１ａと後側脚柱１ｂ、及び、縦側桁材３ａと横側桁材３ｂとに区別して使用する必要がなく、部品点数を削減できてコストダウンを図ることができる。
【００２２】
また、ここでは、伸縮パイプＰをアルミニウム製として軽量化を図り、持ち運びや組立ての取扱いをきわめて容易にし、作業能率を向上させることができるようにしている。
【００２３】
さらに、本実施の形態では、伸縮パイプＰを、図３（ａ）（ｂ）に示すように、長さ違いの２種類の伸縮パイプＰ１，Ｐ２  を用意している。したがって、これらを任意に組合せることにより、前記枠組Ａの大きさを自由に設定することができる。
【００２４】
また、かかる伸縮パイプＰを脚柱１に用いることにより、傾斜地や段差地においてもテントＴの設営が可能となる。
【００２５】
ところで、伸縮パイプＰは、図２に示すように、外装管８と、同外装管８内に摺動自在に挿通された内装管９とから構成している。
【００２６】
外装管８の一端側は、前記脚座２やジョイント４に嵌挿するために内装管９と同一径に形成している。
【００２７】
また、外装管８の両端近傍の周壁にピン挿通孔１０を設ける一方、内装管９の周壁には、適宜の間隔をあけた複数の位置決め用ピン挿通孔１１を設けている。
【００２８】
そして、図４に示すように、位置決め用ピン挿通孔１１を介して、外装管８のピン挿通孔１０に、略Ｕ字状に形成した板ばね１２で外側方向へ付勢された連結ピン１３を出入自在に設け、内装管９を所望する長さまで引出したときに、ピン挿通孔１０と位置決め用ピン挿通孔１１とが重合すると、連結ピン１３がピン挿通孔１０に嵌入してロックするようにしている。
【００２９】
また、伸縮パイプＰ毎に、外装管８と内装管９とのロックを確実にするためにロック装置１４を設けており、同ロック装置１４は、図５に示すように、外装管８の上端近傍に外嵌した基部筒体１５の外周に断面コ字状のロック機構収納部１６を形成し、同収納部１６内にロック機構１７を収納している。
【００３０】
ロック機構１７は、ロック機構収納部１６の内側壁１６ａ  、基部筒体１５及び外装管８の周壁とにロックピン挿通孔１８を設け、ロック機構収納部１６の外側壁１６ｂ  にロックピン貫通孔１９を設け、ロックピン挿通孔１８とロックピン貫通孔１９とに摺動自在に挿入したロックピン２０と、同ピン２０の内側方向へ付勢する板ばね２１と、ロックピン２０を進退動作させるロック解除レバー２２とで構成している。
【００３１】
このように、伸縮パイプＰは、内装管９を任意に引出し、連結ピン１３で容易に連結することができ、しかも、ロック装置１４によりワンタッチでロックすることができるので、組立・解体がきわめて容易となるとともに、所望するサイズのテントＴを作業者が一人であっても容易に組立てることができる。さらに、解体後は、コンパクトに纏めることができるので、その輸送や収納管理が容易となる。
【００３２】
また、本実施の形態では、伸縮パイプＰを長めのものと、短めのものとの２種類の伸縮パイプＰ１，Ｐ２  を用意しているので、より自由に長さを設定することが可能となり、これらを組合せて、枠組Ａのサイズバリエーションをより多様にすることが可能となる。
【００３３】
ところで、テントＴは、通常、脚柱１の高さを変えて後側脚柱１ｂを高く、前側脚柱１ａを低くし、シート５に勾配を設け、雨などがシート上に滞留しないように組立てることが好ましい。
【００３４】
そのようにテントＴを組立てるためには、脚柱１（前側脚柱１ａ、後側脚柱１ｂ）と桁材３（縦側桁材３ａ、横側桁材３ｂ）とを連結するジョイント４を２種類容易する必要がある。
【００３５】
そこで、本発明に係るジョイント４は、伸縮パイプＰと連結可能な複数の筒体を組合せて、前記伸縮パイプＰを縦方向、横方向、高さ方向に三次元的に連結可能に構成している。
【００３６】
さらに、上記ジョイント４は、桁材３を縦方向、または、横方向へ連結した場合に、高さ方向への連結に対して傾きを有するように構成している。
【００３７】
本実施の形態では、図６に示すように、ジョイント４を、構造が一部異なる第一のジョイント４ａと第二のジョイント４ｂとに別々に構成し、両者を、それぞれ、脚柱１を連結するために下端を開口した垂直筒体２３と、同垂直筒体２３の上端にその中央で連設するとともに、横方向へ横側桁材３ｂを連結するために左右両端を開口した水平筒体２４と、同水平筒体２４に直交状態に一側方へ突設するとともに、縦方向へ縦側桁材３ａを連結するために先端を開口した傾斜筒体２５とから構成し、さらに、図７に示すように、枠組Ａの手前側に位置する第一のジョイント４ａは、垂直筒体２３と傾斜筒体２５とでなす夾角が鈍角αとなるように、枠組Ａの後側に位置する第二のジョイント４ｂは、垂直筒体２３と傾斜筒体２５とでなす夾角が鋭角βとなるように構成している。
【００３８】
したがって、枠組Ａの上部に形成されるシート５を貼設する矩形面は勾配を有することになる。
【００３９】
ジョイント４の各筒体２３，２４，２５には、それぞれ所定個所にピン挿通孔１０を設けており、同ジョイント４と各桁材３とを連結する場合は、先に説明した伸縮パイプＰの外装管８と内装管９とを位置決めしてロックするときのように、伸縮パイプＰに設けた連結ピン１３がピン挿通孔１０に嵌入して連結される。なお、図６及び図７中、２６は垂直筒体２３と傾斜筒体２５との間に介設した補強板である。
【００４０】
また、本発明に係るテント構造では、上記枠組Ａを１ユニットとして、その一部を共用しながら二次元的に連結可能としている。
【００４１】
すなわち、上記ジョイント４を用いることによって、水平筒体２４に横側桁材３ｂを随時連結して延設することにより、横方向への長さを自由に延長することが可能となる。
【００４２】
この際に、前述したように、脚柱１及び桁材３となる伸縮パイプＰを長めのものと短めのものとを適宜組み合わせることによって１ユニットとなる枠組Ａのサイズを大小自由に設定できるので、図８（ａ）（ｂ）で示すように、横方向へ延長して構成したテントＴ自体のサイズも自由に設定することが可能となる。
【００４３】
したがって、工事現場の規模に合わせたサイズでテントＴの設営が可能となり、例えば、コンクリート打設などの工事では、雨天の場合でも工事を進めることが可能となり、雨天による工期の遅れがなくなる。
【００４４】
次に、脚柱１の下端に着脱自在に連結する脚座２について説明すると、同脚座２は、図９に示すように、脚柱１の下端を上方から嵌入する筒状体２７と、同筒状体２７の下端に連設した座板２８とからなり、筒状体２７にはピン挿通孔１０を設けている。
【００４５】
すなわち、ここでも、伸縮パイプＰの外装管８と内装管９との位置決めロックやジョイント４と伸縮パイプＰとの連結同様に、連結ピン１３とピン挿通孔１０との嵌入により脚柱１と脚座２とが連結される構成としている。
【００４６】
また、図１０に示すように、座板２８にはアンカー打ち込み用孔３０を設け、必要に応じてアンカーを用いて脚柱１を地面に固定できるようにするとともに、座板２８の接地面２８ａ  には、多数の溝等からなる滑り止め加工２９を施してスリップを防止し、より安全性を高めている。
【００４７】
ここで、図１１を参照しながら、本発明に係るテント構造を有するテントＴを実際に組立てる場合についての例を以下に説明する。
【００４８】
まず、左右の縦側桁材３ａ，３ａ  の長さを所要長さに設定し、同縦側桁材３ａ，３ａ  の各前後側端に、第一のジョイント４ａと第二のジョイント４ｂの傾斜筒体２５をそれぞれ外嵌する。
【００４９】
次に、前後の横側桁材３ｂ，３ｂ  の長さを所要長さに設定し、同横側桁材３ｂ，３ｂ  の各左右側端を前記第一、第二のジョイント４ａ，４ｂ  の各水平筒体２４に嵌装して屋根部となる矩形体を構成する。
【００５０】
そして、前側・後側脚柱１ａ，１ｂ  の下端に脚座２を連結するとともに、同前側・後側脚柱１ａ，１ｂ  の長さを所要長さに設定し、さらに、第一、第二のジョイント４ａ，４ｂ  の各垂直筒体２３に嵌装して枠組Ａを立設する。
【００５１】
最後に、シート５を貼設してテントＴの設営が完了する。なお、必要に応じて脚座２をアンカーで固定したり、砂袋等を脚柱１に取付けるなどして、テントＴ全体の安定化を図ってもよい。
【００５２】
以上説明してきたように、本発明に係るテント構造では、各脚柱１や桁材３がアルミニウム製で軽量であり、かつ、組立てが極めて簡単なので、一人の作業者であっても短時間でテント設営が可能となる。
【００５３】
なお、テントＴの横方向への長さを延長する場合は、シート５を貼設する前に、枠組Ａの一側の前・後側脚柱１ａ，１ｂ  及び縦側桁材３ａを利用して、各ジョイント４ａ，４ｂ  に、予め前・後側脚柱１ａ，１ｂ  と縦側桁材３ａとを連結した前後の横側桁材３ｂ，３ｂ  を連結し、その後に、大きさを合わせたシート５を貼設すればよい。
【００５４】
次に、他の実施の形態として、図１２に示すテント構造について説明する。
【００５５】
これは、テントＴを切妻風に設営するためのもので、図１３に示した第三のジョイント４ｃを用いて屋根部の中央に頂部を形成している。
【００５６】
すなわち、前・後側脚柱１ａ，１ｂ  を同長さに設定し、両脚柱１ａ，１ｂ  間に、両脚柱１ａ，１ｂ  よりも長めに設定した中央脚柱１ｃを配設し、同中央脚柱１ｃの上端に第三のジョイント４ｃを連結する一方、前記前・後側脚柱１ａ，１ｂ  の上端にはそれぞれ第一のジョイント４ａを連結し、各第一のジョイント４ａと第三のジョイント４ｃ間に、それぞれ、桁材３を連結している。なお、図１２において明らかなように、本実施の形態では第二のジョイント４ｂを使用する必要がない。
【００５７】
この第三のジョイント４ｃは、図１３に示すように、前記した第二のジョイント４ｂの傾斜筒体２５を、水平筒体２４に対して、直交状態に両側方へ突設した構造となっており、当然ながら、両傾斜筒体２５と垂直筒体２３とでなす夾角は、図１４に示すように鋭角βとなっている。かかる構造から分かるように、第三のジョイント４ｃは、第二のジョイント４ｂの機能も果たすことができるので、第二のジョイント４ｂを廃止して第一、第三のジョイント４ａ，４ｃ  を用意しておけば、先の実施の形態で示したテント構造、及び、本実施の形態で示した切妻風のテント構造のいずれも設営することが可能となる。
【００５８】
また、第三のジョイント４ｃと桁材３との連結に関しては、図１４に示すように、先の実施の形態で説明した第一、第二のジョイント４ａ，４ｂ  と桁材３とを連結する場合と同様である。
【００５９】
なお、切妻風のテントＴを設営する場合、中央脚柱１ｃを用いればその分だけ伸縮パイプＰの本数は増加するが、テントＴの奥行きの幅が短ければ中央脚柱１ｃを取付けなくても構わない。
【００６０】
ところで、上記したテント構造に使用したジョイント４は、第一、第二、第三のジョイント４ａ，４ｂ，４ｃに限らず、これらを組合せた構造、例えば、図１５（ａ）（ｂ）に示す形態とすることもできる。
【００６１】
【発明の効果】
本発明に係るテント構造では以下の効果を奏する。
【００６２】
（１）所望するサイズのテントを作業者が一人であっても容易に組立てることができるとともに、部品点数を削減できてコストダウンを図ることができる。
【００６３】
（２）脚柱と桁材とを、伸縮自在としているので、傾斜地や段差地においてもテントの設営が可能となる。
【００６４】
（３）また、解体後は、コンパクトに纏めることができるので、その輸送や収納管理が容易となる。
【００６５】
（４）伸縮パイプは、内装管を任意に引出し、連結ピンで容易に連結することができる。
【００６６】
（５）伸縮パイプは、ロック装置によりワンタッチでロックすることが可能となり、組立、解体がきわめて容易となる。
【００６７】
（６）伸縮パイプの内装管と外装管とのロックを確実に行える。
【００６８】
（７）様々な形状のテントを簡単に組立てることができる。
【図面の簡単な説明】
【図１】本発明に係るテント構造の基本形状を示す説明図である。
【図２】伸縮パイプの説明図である。
【図３】伸縮パイプの種類を示す説明図である。
【図４】外装管と内装管との連結状態を示す説明図である。
【図５】ロック装置の説明図である。
【図６】ジョイントの斜視図である。
【図７】ジョイントと桁材との連結状態を示す説明図である。
【図８】テントを延設した状態を示す説明図である。
【図９】脚座の側面図である。
【図１０】同脚座の底面図である。
【図１１】枠組構造を示す説明図である。
【図１２】他の実施の形態に係るテント構造の説明図である。
【図１３】第三のジョイントの斜視図である。
【図１４】同第三のジョイントと桁材との連結状態を示す説明図である。
【図１５】ジョイントのその他の形態を示す説明図である。
【図１６】従来のテント構造を示す説明図である。
【符号の説明】
α    鋭角
β    鈍角
Ａ    枠組
Ｐ    伸縮パイプ
１    脚柱
２    脚座
３    桁材
４    ジョイント
４ａ    第一のジョイント
４ｂ    第二のジョイント
５    シート
【図１】
0003571430.tif 000002
【図２】
0003571430.tif 000003
【図３】
0003571430.tif 000004
【図４】
0003571430.tif 000005
【図５】
0003571430.tif 000006
【図６】
0003571430.tif 000007
【図７】
0003571430.tif 000008
【図８】
0003571430.tif 000009
【図９】
0003571430.tif 000010
【図１０】
0003571430.tif 000011
【図１１】
0003571430.tif 000012
【図１２】
0003571430.tif 000013
【図１３】
0003571430.tif 000014
【図１４】
0003571430.tif 000015
【図１５】
0003571430.tif 000016
【図１６】
0003571430.tif 000017